(57)【要約】【課題】本発明は、各個人に特有な生体情報を登録しておき認証時に再度その個人の生体情報を得て照合することにより個人認証を行なう個人認証装置に関し、各個人に別々のＩＤを割り当てるシステムと、部屋番号をＩＤとしてその部屋の住人全員に同じＩＤを割り当てるようなＩＤの重複を許すシステムとの双方に適合させる。【解決手段】ＩＤ重複を許可するか禁止するかを表わす可否情報ファイルを備え、ＩＤおよび生体情報の登録にあたっては、可否情報ファイルを参照して、複数の個人への共通のＩＤの設定が禁止されている場合にのみ、今回登録用に取得させた第１のＩＤと記憶されている第２のＩＤとの異同をチェックし、その第１のＩＤが第２のＩＤのいずれとも異なる場合のみ、情報取得部に今回登録用に取得しＩＤと生体情報を登録する。【選択図】        図１０
2006178897.tif 000002
【特許請求の範囲】
【請求項１】
個人の生体情報を取得する情報取得部と、個人の、過去に取得された生体情報を記憶しておく情報記憶部と、前記情報取得部で今回取得した生体情報と前記情報記憶部に記憶されている生体情報とを照合することにより、今回取得した生体情報に係る個人を認証する認証部とを備えた個人認証装置において、
前記情報取得部が、個人の生体情報に加え該個人のＩＤを取得するものであるとともに、前記情報記憶部が、前記情報取得部で過去に取得されたＩＤと生体情報を相互に対応づけて記憶しておくものであって、
前記情報取得部に、情報登録用に新たな個人のＩＤおよび生体情報を取得させ、取得させたＩＤおよび生体情報を相互に対応づけて前記情報記憶部に登録する情報登録部と、
複数の個人が共通のＩＤを設定することの可否情報が登録された可否情報ファイルとを備え、
前記情報登録部が、前記可否情報ファイルを参照して、複数の個人への共通のＩＤの設定が禁止されている場合にのみ、前記情報取得部に今回登録用に取得させた第１のＩＤと前記情報記憶部に記憶されている第２のＩＤとの異同をチェックし、該第１のＩＤが該第２のＩＤのいずれとも異なる場合のみ、前記情報取得部に今回登録用に取得させたＩＤと生体情報を前記情報記憶部に登録するものであることを特徴とする個人認証装置。
【請求項２】
前記認証部は、前記情報取得部により認証用にＩＤと生体情報が取得された場合に、該ＩＤと同一のＩＤに対応づけられて前記情報記憶部に記憶されている生体情報を該情報記憶部から取得して、前記情報取得部により認証用に今回取得された生体情報と前記情報取得部から取得した生体情報とを照合するものであることを特徴とする請求項１記載の個人認証装置。
【請求項３】
前記情報取得部が生体情報を検出する生体情報センサを備えたものであることを特徴とする請求項１記載の個人認証装置。
【請求項４】
前記生体情報センサは、掌の静脈パターンを検出するセンサであることを特徴とする請求項３記載の個人認証装置。
【請求項５】
前記情報登録部は、前記認証部により、前記情報記憶部にＩＤおよび生体情報が記憶されている個人の中の特定の個人である管理者の認証が行なわれたことをもって、前記情報取得部で登録用に取得された新たな個人のＩＤおよ生体情報を前記情報記憶部に登録するものであることを特徴とする請求項１記載の個人認証装置。
【発明の詳細な説明】
【技術分野】
【０００１】
本発明は、各個人に特有な生体情報を登録しておき認証時に再度その個人の生体情報を得て照合することにより個人認証を行なう個人認証装置に関する。
【背景技術】
【０００２】
近年、セキュリティの向上やプライバシーの保護等を目的として、例えば部屋やビルの出入口のドアの開閉や情報処理装置の操作の際に個人認証を必要とする設備や機器が増えてきている。この個人認証を行なうにあたり、従来は暗証番号等が広く採用されてきたが、近年では、より安全な個人認証方式として、個人ごとに異なる、指紋、瞳孔の静脈パターン、掌の静脈パターン等、何らかの生体情報を検出するセンサを備えて個人認証を行なうことが普及してきている（特許文献１，２参照）。
【０００３】
暗証番号は一旦他人に知られてしまうと簡単に本人になりすますことができ問題であるが、各個人ごとに異なる生体情報に基づいて個人認証を行なうことにより、本人へのなりすましの危険性は大幅に低下する。
【０００４】
ここで、生体情報を用いて個人認証を行なうシステムにおいても、一層の安全のため、あるいは管理上の便宜から、生体情報だけでなくその生体情報とＩＤとを対応づけてそれら双方を利用することが行なわれている（特許文献３、４）。
【特許文献１】特開２００３−８５５３９号公報
【特許文献２】特開２００４−１１２１７２号公報
【特許文献３】特開平１１−３３８９４７号公報
【特許文献４】特開２００１−２９０９５９号公報
【発明の開示】
【発明が解決しようとする課題】
【０００５】
ここで、ＩＤと生体情報との双方を用いる場合、ＩＤは各個人別に異なるＩＤとするか否かが問題となる。例えば工場やビルで働く人の出入り等を管理する場合はＩＤは各個人に特有のものであることが望ましいが、例えば、いわゆるマンションと称される集合住宅の出入口の管理の場合、小さな小供から高齢者まで利用することなどから、個人別ではなく、住戸別のＩＤの方が好ましく、その場合は複数の個人に同一のＩＤが割り当てられることになる。
【０００６】
本発明は、上記事情に鑑み、ＩＤの割り当て方に関し上記の双方に適合した個人認証装置を提供することを目的とする。
【課題を解決するための手段】
【０００７】
上記目的を達成する本発明の個人認証装置は、個人の生体情報を取得する情報取得部と、個人の、過去に取得された生体情報を記憶しておく情報記憶部と、情報取得部で今回取得した生体情報と情報記憶部に記憶されている生体情報とを照合することにより、今回取得した生体情報に係る個人を認証する認証部とを備えた個人認証装置において、
上記情報取得部が、個人の生体情報に加えその個人のＩＤを取得するものであるとともに、情報記憶部が、情報取得部で過去に取得されたＩＤと生体情報を相互に対応づけて記憶しておくものであって、
上記情報取得部に、情報登録用に新たな個人のＩＤおよび生体情報を取得させ、取得させたＩＤおよび生体情報を相互に対応づけて情報記憶部に登録する情報登録部と、
複数の個人が共通のＩＤを設定することの可否情報が登録された可否情報ファイルとを備え、
上記情報登録部が、上記可否情報ファイルを参照して、複数の個人への共通のＩＤの設定が禁止されている場合にのみ、情報取得部に今回登録用に取得させた第１のＩＤと情報記憶部に記憶されている第２のＩＤとの異同をチェックし、その第１のＩＤが第２のＩＤのいずれとも異なる場合のみ、情報取得部に今回登録用に取得させたＩＤと生体情報を情報記憶部に登録するものであることを特徴とする。
【０００８】
本発明の個人認証装置によれば、上記の可否情報ファイルを備え、ＩＤおよび生体情報の登録にあたっては、上記可否情報ファイルを参照して、複数の個人への共通のＩＤの設定が禁止されている場合にのみ、情報取得部に今回登録用に取得させた第１のＩＤと情報記憶部に記憶されている第２のＩＤとの異同をチェックし、その第１のＩＤが第２のＩＤのいずれとも異なる場合のみ、情報取得部に今回登録用に取得させたＩＤと生体情報を情報記憶部に登録する構成としたため、各個人をユニークに識別するＩＤを持つシステムにも、複数の個人が同一のＩＤを共用するシステムにも適合した個人認証装置となる。
【０００９】
ここで、上記本発明の個人認証装置において、上記認証部は、情報取得部により認証用にＩＤと生体情報が取得された場合に、そのＩＤと同一のＩＤに対応づけられて情報記憶部に記憶されている生体情報を情報記憶部から取得して、情報取得部により認証用に今回取得された生体情報と情報取得部から取得した生体情報とを照合するものであることが好ましい。
【００１０】
認証時にはＩＤは利用せずに生体情報のみで認証を行なうことも考えられるが、ＩＤと生体情報との双方を認証に利用することにより一層正確な認証が可能となる。
【００１１】
また、本発明の個人認証装置において、上記情報取得部が生体情報を検出する生体情報センサを備えたものであることが好ましく、典型的には、その生体情報センサとして、掌の静脈パターンを検出するセンサを採用することができる。
【００１２】
また、本発明の個人認証装置において、上記情報登録部は、認証部により、情報記憶部にＩＤおよび生体情報が記憶されている個人の中の特定の個人である管理者の認証が行なわれたことをもって、情報取得部で登録用に取得された新たな個人のＩＤおよ生体情報を情報記憶部に登録するものであることが好ましい。
【００１３】
管理者の認証をもって新たな登録を可能とすることで、登録の安全性が確保される。
【発明の効果】
【００１４】
以上説明したように、本発明によれば、ＩＤの共用が禁止されたシステムにもＩＤの共用が許容されたシステムにも適合する個人認証装置が構成される。
【発明を実施するための最良の形態】
【００１５】
以下、本発明の実施の形態を説明する。
【００１６】
図１は、本発明の一実施形態としての個人認証装置が組み込まれたドア開閉システムの概要を示す図である。
【００１７】
この図１には、ゲートコントローラ１０と、ドア制御盤２０と、ドア３０が示されており、それらの間は回線４０で接続されている。
【００１８】
このドア３０は、例えばビルやマンションの出入口や特定の部屋の出入口に設置されたドアであり、電気錠（図示せず）を備えており、ドア制御盤２０からの制御によりその電気錠の開閉が行なわれる構造となっている。
【００１９】
ドア制御盤２０は、ゲートコントローラ１０の制御を受け回線４０を介してドア３０の電気錠を駆動するものである。
【００２０】
また、ゲートコントローラ１０は、ドア３０の近傍に設置され、個人認証を行なって、そのドア３０が設けられた出入口の通過が許可された者であるか否かを判定し、その出入口の通過が許可された者であると判定したときに、回線４０を介してドア制御盤２０に向けてドア３０の電気錠を開くよう制御信号を出力する。
【００２１】
図２は、ゲートコントローラ１０の操作パネルを示した図である。
【００２２】
このゲートコントローラの操作パネル１００には、生体情報センサ１１、キーボード１２、入出力画面１３、アラーム機構１４が設けられている。
【００２３】
生体情報センサ１１は、本実施形態では掌の静脈パターンを検出するセンサであり、そこに掌を翳すと赤外線によりそこに翳された掌の静脈パターンが検出される。
【００２４】
また、キーボード１２は、０〜１の数字が付されたテンキー１２１と、終了キー１２２と、メニューキー１２３とからなり、利用者のＩＤを入力したりゲートコントローラ１０の管理機能を利用する際に操作される押ボタン群である。
【００２５】
また入出力画面１３は、利用者が入力したＩＤの表示や、ゲートコントローラ１０の管理機能を実行した結果の表示や、利用者の操作ガイダンス、アラームメッセージの表示等を行なう画面である。
【００２６】
さらに、アラーム機構１４は、内部にスピーカが配置された音声出力部１４１とＬＥＤが配置された発光部１４２とからなり、認証結果を音声とランプ点灯で知らせるものである。
【００２７】
図３は、ゲートコントローラ１０の側面を示した図である。
【００２８】
このゲートコントローラ１０は、図１に示すドア３０の近くの、ビルや部屋の壁に固定される構造を有しており、操作パネル１００は斜め上向きに配置されている。また、このゲートコントローラ１０の横壁には、物理的なキー（鍵）が差し込まれる鍵穴１５１が設けられており、その鍵穴１５１に特定のキー（鍵）を差し込むとその差し込んだキーを所定角度回転させることができる。このキー（鍵）の差し込んで回転させるとこのゲートコントローラ１０は正規の鍵で操作されたことを認識する。本実施形態では、この鍵穴１５１に正規のキー（鍵）を差し込んで回転させることを、キーをセットする、と呼ぶ。
【００２９】
図４は、ゲートコントローラ１０の構成を示すブロック図である。
【００３０】
この図４には、個人情報ＤＢ（データベース）１５０と、運用情報ファイル１６０と、制御部１７０と、さらに、図２にも示すキーボード１２、入出力画面１３、アラーム機構１４、および生体情報センサ１１が備えられており、さらに、図３に示す鍵穴１５１を含む管理者キー機構１５が備えられている。
【００３１】
個人情報ＤＢ１５０には個人情報が登録されている。
【００３２】
図５は、個人情報ＤＢ１５０の内容を示す図である。
【００３３】
個人情報ＤＢに登録される個人情報の形式には、複数の個人でＩＤを共用する「ＩＤ重複あり」のケース（Ａ）と、各個人別にユニークなＩＤが付される「ＩＤ重複なし」のケース（Ｂ）がある。これら２つのケースは１つの個人認証装置で共用されるのではなく、１つの個人認証装置ではそれら２つのケースのうちのいずれか一方が選択される。
【００３４】
また、図５（Ａ）、（Ｂ）のいずれのケースにおいても、個人情報ＤＢには、図１に示すドア３０を通過することが許可された利用者とそのドア３０を含むビル等の管理を担当する管理者との双方の個人情報が登録される。
【００３５】
各個人情報は、図５（Ａ）の場合はその個人を特定するＩＤと生体情報（ここでは掌の静脈パターン）とのペアからなる。
【００３６】
また、図５（Ｂ）の場合は、ＩＤとして例えばマンションの部屋番号等が割り当てられ、したがって同じ部屋番号の部屋の住人は同一のＩＤを有する。この点が図５（Ａ）の場合と異なる以外は図５（Ａ）の場合と同様であり、各個人情報はＩＤと生体情報（掌の静脈パターン）とのペアからなる。
【００３７】
また、ＩＤは利用者、管理者ともに４桁の数字であるが、利用者は先頭が‘９９’を除く４桁の数字、管理者は先頭が‘９９’から始まる４桁の数字であり、この先頭の２桁が‘９９’であることをもって管理者であると判定される。
【００３８】
図６は、図４に示す運用情報ファイルの内容の抜粋を示した図である。
【００３９】
図４に示す運用情報ファイル１６０には、この個人認証装置ではＩＤの重複を禁止しているかあるいはＩＤの重複を許容しているかを示すＩＤ重複有無情報や、その他この個人認証装置の運用に関する情報（例えばマンションに設置されたときのそのマンションの部屋番号一覧（ＩＤとして許される番号の一覧）や、管理者の人数を制限する場合の管理者の人数の情報や、期間を限って個人情報を登録する場合のその期間など）が格納されている。
【００４０】
さらに、この図４に示す運用情報ファイル１６０には、入出力画面１３に表示される画面パターンや、アラーム機構１４を通じて利用者に通知する音声パターン等、運用にあたって利用される様々な情報も記録されている。
【００４１】
図４に戻って説明を続ける。
【００４２】
制御部１７０は、個人情報ＤＢ制御部１７１、主制御部１７２、キーボード制御部１７３、画面制御部１７４、音声ランプ制御部１７５、生体情報センサ制御部１７６、管理者キーの状態検出制御部１７７、およびドア制御部１７８から構成されている。
【００４３】
個人情報ＤＢ制御部１７１は、主制御部１７２からの指示に基づいて個人情報ＤＢ１５０をアクセスする役割りを担っている。
【００４４】
主制御部１７２は、個人情報登録制御と認証制御とを担っている。この主制御部１７２における各制御については後述する。
【００４５】
キーボード制御部１７３はキーボード１２の操作を検出して主制御部１７２に伝達する役割りを担ってする。また画面制御部１７４は主制御部１７２の指示を受けて入出力画面１３へのＩＤ等の表示を行なうものである。
【００４６】
さらに音声ランプ制御部１７５は、主制御部１７２の指示を受けて、アラーム機構１４に設けられたスピーカやランプを制御する。また生体情報センサ制御部１７６は、生体情報センサ１１を制御して生体情報センサ１１に掌の静脈パターンを検出させその検出した掌の静脈パターンを制御部１７２に伝えるものである。さらに管理者キーの状態検出制御部１７７は、管理者キー機構１５の鍵穴１５１（図３参照）にキー（鍵）が差し込まれて回わされた状態（キーがセットされた状態）にあるか否かの検出を担っており、その検出結果は主制御部１７２に伝えられる。さらに、ドア制御部１７８は、主制御部１７２の指示を受けてドア制御盤２０に向けてドア３０（図１参照）の電気錠の開閉の制御信号を出力するものである。
【００４７】
次に、主制御部１７２における個人情報登録制御および認証制御について説明する。
【００４８】
図７は、管理者登録時の制御フローを示す図である。
【００４９】
ここでは先ず、図２に示すキーボード１２中のメニューキー１２３が押下され（ステップａ０１）、このメニューキー１２３の押下を受けて管理者キーの状態が判定される（ステップ０２）。ここで、管理者キーの状態の判定とは、図３に示す鍵穴１５１に所定のキー（鍵）が差し込まれて回わされた（キーがセットされた）状態にあるか否かの判定をいい、未セットのときはＮＧアラームが発せられる（ステップａ０３）。
【００５０】
メニューキー１２３が押下され、管理者キーがセットされた状態にあることが判定されると、管理機能メニューが画面表示される（ステップａ０３）。
【００５１】
図８は、管理機能メニュー画面を示す図である。
【００５２】
ここには、「１．管理者情報登録」、「２．利用者情報登録」、…とあり、この管理機能メニュー画面が表示されているときに、キーボード１２（図２参照）の、「１」の押下により「管理者情報登録」を行なうことが選択される（ステップａ０５）。
【００５３】
尚、この管理機能メニューが表示されているときに図２に示す終了キー１２２が押下されると、特に何もせずに管理機能の実行が終了する。
【００５４】
その後、管理者登録のためのＩＤの入力および生体情報の入力が行なわれる（図６ステップａ０６）。
【００５５】
図９は、管理者登録時のＩＤ入力画面を示す図である。
【００５６】
「管理者情報登録」が選択されると、図９に示す、登録しようとしている管理者のＩＤの入力を促す画面が出力され、図２に示すキーボード１２のテンキー１２１を使ってＩＤを入力すると、その入力されたＩＤが図９に示すＩＤ入力画面上に表示される。このとき、管理者のＩＤとしては先頭の２桁が‘９９’のＩＤであって、登録済の管理者のＩＤと重複しないＩＤのみが許容される。また、このＩＤの入力の後、生体情報センサ１１に掌を翳して生体情報センサ１１に掌の静脈パターンを検出させる。
【００５７】
その後、このようにして入力したＩＤと生体情報が個人情報ＤＢ１５０（図４，図５参照）に登録される（図７ステップａ０７）。
【００５８】
図１０は、利用者登録時の制御フローを示す図である。
【００５９】
ここでは、図２に示すキーボード１２中のメニューキー１２３が押下され（ステップｂ０１）、このメニューキー１２３が押下されると、図８に示す管理機能メニューが画面表示される（ステップｂ０２）。この段階で図２に示す終了キー１２２が押下されると、何もせずに管理機能の実行を終了する。
【００６０】
入出力画面１３上に図８に示す管理機能メニューが表示されているときに、キーボード１２のテンキー１２１の「２」のキーが押下されることにより「利用者情報登録」が選択されると（ステップｂ０３）、次に管理者のＩＤと生体情報の入力が行なわれて、個人情報ＤＢに登録されている管理者の情報との照合による管理者の認証が行なわれる（ステップｂ０４）。管理者認証結果がＮＧであったときは（ステップｂ０５）、ＮＧアラームが発せられ（ステップｂ０６）、ＯＫであったときは、入出力画面１３上に利用者のＩＤ入力画面が表示される（ステップｂ０７）。
【００６１】
図１１は、利用者登録時の利用者のＩＤ入力画面を示す図である。
【００６２】
図２に示す入出力画面１３上にこの図１１のＩＤ入力画面が表示されると、テンキー１２１を使っての利用者のＩＤ入力が受け付けられ（ステップｂ０８）、ＩＤが入力されると、その入力されたＩＤがその画面上に表示され、利用者による確認に供される。
【００６３】
入出力画面１３上に図１１に示す利用者のＩＤ入力画面が表示されているときに終了キー１２２を押下した場合も、何もせずにこの管理機能の実行を終了する。
【００６４】
利用者のＩＤが入力されると、今度は運用情報ファイル（図６参照）からＩＤ重複有無情報が取得され（ステップｂ０９）、重複無し（ＩＤの重複が許容されていない）の場合は（ステップｂ１０）、入力されたＩＤで個人情報ＤＢ（図５参照）中の個人情報が検索されて（ステップｂ１１）、入力されたＩＤと同一のＩＤが個人情報ＤＢ中に存在するか否かが判定される（ステップｂ１２）。同一のＩＤが存在していたときは、別のＩＤの入力を促すためのＮＧアラームが発せられる（ステップｂ１３）。
【００６５】
入力されたＩＤと同一のＩＤが個人情報ＤＢ中には存在しないと判定されたとき（ステップｂ１２）、あるいは運用情報ファイルから取得したＩＤ重複有無情報がＩＤの重複を許容することを表わしていたとき（ステップｂ１０）は、ステップｂ１３に進み、利用者が生体情報センサ１１に掌を翳すことによりその利用者の生体情報の入力が行なわれ、それらの入力された利用者のＩＤと生体情報が個人情報ＤＢに登録される（ステップｂ１４）。
【００６６】
したがって本実施形態によれば、この図１０のフローに示すように、個人情報の登録にあたりＩＤの重複が禁止されたシステムにもＩＤの重複が許容されたシステムにも適合した個人認証装置が実現する。
【００６７】
図１２は、利用者認証時の制御フローを示す図である。
【００６８】
ここでは、ドア入室者のＩＤがキーボードから入力されて（ステップｃ０１）、入出力画面１３上にその入力されたＩＤが表示される（ステップｃ０２）。
【００６９】
図１３は、その入力されたＩＤを表示した入出力画面を示す図である。
【００７０】
ここでは一例として「０００７」が入力されている。
【００７１】
図１２に戻って説明を続ける。
【００７２】
上記のようにしてドア入室者のＩＤが入力されると、運用情報ファイル（図６参照）からＩＤ重複有無情報が取得され（ステップｃ０３）、そのＩＤ重複有無情報を参照しながら、入力されたＩＤで個人情報ＤＢが検索される（ステップｃ０４）。そのＩＤ重複有無情報が重複無しを表わしているときは（ステップｃ０５）、個人情報ＤＢから、そのＩＤを持つ１人の個人の生体情報が取得され（ステップｃ０７）、そのＩＤ重複有無情報が重複有りを表わしているときは（ステップｃ０５）、個人情報ＤＢから、そのＩＤを持つ者全員の生体情報が取得される（ステップｃ０７）。
【００７３】
また、入室者が生体情報センサ１１に掌を翳すことにより生体情報の入力が行なわれ（ステップｃ０８）、入力された生体情報と個人情報ＤＢから取得した生体情報との照合処理が行なわれる（ステップｃ０９）。この照合にあたり、運用情報ファイルから取得した重複有無情報がＩＤの重複を許容している場合は、入室者が入力したＩＤと同一のＩＤを持つ者全員との照合が行なわれる。
【００７４】
その照合の結果（ステップｃ１０）、利用者として登録されている個人であると判定されたときは認証ＯＫの音声とランプ表示が行なわれて（ステップｃ１１）、電気錠の開錠処理が行なわれる（ステップｃ１２）。一方、その照合の結果（ステップｃ１０）。利用者として登録されていないと判定されると認証ＮＧを表わす音声とランプ表示が行なわれる（ステップｃ１３）。
【００７５】
尚、ゲートコントローラ１０では、ここで説明した処理以外にも、利用者や管理者の登録の抹消の処理やＩＤの変更処理等も行なわれるが、ここでの主題ではないため、それらの詳細説明は省略する。
【００７６】
また、ここでは、生体情報として掌の静脈パターンを採用したが、これに限らず、例えば瞳孔の静脈パターンや、指紋、顔自体など個人を認識できる他の生体情報を採用してもよい。
【００７７】
また、ここでは、個人認証を行なってその結果をドアの開閉制御に用いる例について説明したが、本発明は個人認証結果の用途を問う発明ではなく、本発明は、どのような用途に適用するものであってもよい。
【図面の簡単な説明】
【００７８】
【図１】本発明の一実施形態としての個人認証装置が組み込まれたドア開閉システムの概要を示す図である。
【図２】ゲートコントローラの操作パネルを示した図である。
【図３】ゲートコントローラの側面を示した図である。
【図４】ゲートコントローラの構成を示すブロック図である。
【図５】個人情報ＤＢの内容を示す図である。
【図６】運用情報ファイルの内容の抜粋を示した図である。
【図７】管理者登録時の制御フローを示す図である。
【図８】管理機能メニュー画面を示す図である。
【図９】管理者登録時のＩＤ入力画面を示す図である。
【図１０】利用者登録時の制御フローを示す図である。
【図１１】利用者登録時の利用者のＩＤ入力画面を示す図である。
【図１２】利用者記憶時の制御フローを示す図である。
【図１３】入力されたＩＤを表示した入出力画面を示す図である。
【００７９】
１０    ゲートコントローラ
１１    生体情報センサ
１２    キーボード
１２１    テンキー
１２２    終了キー
１２３    メニューキー
１３    入出力画面
１４    アラーム機構
１４１    音声出力部
１４２    発光部
１５    管理者キー機構
１５１    鍵穴
２０    ドア制御盤
３０    ドア
４０    回線
１５０    個人情報ＤＢ（データベース）
１６０    運用情報ファイル
１７０    制御部
１７１    個人情報ＤＢ制御部
１７２    主制御部
１７３    キーボード制御部
１７４    画面制御部
１７５    音声ランプ制御部
１７６    生体情報センサ制御部
１７７    管理者キーの状態検出制御部
１７８    ドア制御部
【図１】
2006178897.tif 000003
【図２】
2006178897.tif 000004
【図３】
2006178897.tif 000005
【図４】
2006178897.tif 000006
【図５】
2006178897.tif 000007
【図６】
2006178897.tif 000008
【図７】
2006178897.tif 000009
【図８】
2006178897.tif 000010
【図９】
2006178897.tif 000011
【図１０】
2006178897.tif 000012
【図１１】
2006178897.tif 000013
【図１２】
2006178897.tif 000014
【図１３】
2006178897.tif 000015